(57)【要約】【課題】ベルマウスをファンリングに効果的に固定させることにより、ベルマウスの脱落を防止する。【解決手段】一端側がラジエータに固定されたファンシュラウド１１に取り付けられると共に、他端側がエンジンＥに固定されてファン１２を囲むファンリング１３に取り付けられて、ファンシュラウド１１とファンリング１３との間の隙間を覆う筒状のベルマウスの取付構造２０であって、ベルマウス１４の他端側の開口端に設けられて、ファンリング１３の外周面に吸着固定される吸盤形状部２１を備えた。【選択図】図２
2020045842.tif 000002
【特許請求の範囲】
【請求項１】
一端側がラジエータに固定されたファンシュラウドに取り付けられると共に、他端側がエンジンに固定されてファンを囲むファンリングに取り付けられて、前記ファンシュラウドと前記ファンリングとの間の隙間を覆う筒状のベルマウスの取付構造であって、
前記ベルマウスの前記他端側の開口端に設けられて、前記ファンリングの外周面に吸着固定される吸盤形状部を備える
ことを特徴とするベルマウスの取付構造。
【請求項２】
前記吸盤形状部が、少なくとも前記ベルマウスの前記他端側の開口端の上下に対角上に一対設けられている
請求項１に記載のベルマウスの取付構造。
【請求項３】
前記ベルマウス及び前記吸盤形状部が、弾性部材により一体に形成されている
請求項１又は２に記載のベルマウスの取付構造。
【発明の詳細な説明】
【技術分野】
【０００１】
本開示は、ベルマウスの取付構造に関し、特に、ラジエータに固定されたファンシュラウドと、エンジンに固定されたファンリングとの隙間を覆うベルマウスの取付構造に関する。
【背景技術】
【０００２】
この種のベルマウスの取付構造として、例えば、特許文献１，２には、ベルマウスの一端側をラジエータに固定されたファンシュラウドに嵌合させると共に、ベルマウスの他端側をエンジンに固定されたファンリングに弾接させることにより、これらファンシュラウドとファンリングとの間にベルマウスを取り付けるようにした構造が開示されている。
【先行技術文献】
【特許文献】
【０００３】
【特許文献１】特開２００１−１２３８３６号公報
【特許文献２】特開２０１４−００９６３６号公報
【発明の概要】
【発明が解決しようとする課題】
【０００４】
ところで、ファンシュラウドとファンリングとの間には、エンジンの振動等を起因とした相対移動が生じる。このため、ファンリングを介してベルマウスに伝達されるエンジンの振動や相対移動に対して、ベルマウスの取付力が耐え切れなくなると、ベルマウスがファンリングやファンシュラウドから外れて脱落してしまう場合がある。
【０００５】
本開示の技術は、ベルマウスをファンリングに強固に固定保持させることにより、ベルマウスの脱落を効果的に防止することを目的とする。
【課題を解決するための手段】
【０００６】
本開示の技術は、一端側がラジエータに固定されたファンシュラウドに取り付けられると共に、他端側がエンジンに固定されてファンを囲むファンリングに取り付けられて、前記ファンシュラウドと前記ファンリングとの間の隙間を覆う筒状のベルマウスの取付構造であって、前記ベルマウスの前記他端側の開口端に設けられて、前記ファンリングの外周面に吸着固定される吸盤形状部を備えることを特徴とする。
【０００７】
また、前記吸盤形状部が、少なくとも前記ベルマウスの前記他端側の開口端の上下に対角上に一対設けられていることが好ましい。
【０００８】
また、前記ベルマウス及び前記吸盤形状部が、弾性部材により一体に形成されていることが好ましい。
【発明の効果】
【０００９】
本開示の技術によれば、ベルマウスをファンリングに強固に固定保持させることにより、ベルマウスの脱落を効果的に防止することができる。
【図面の簡単な説明】
【００１０】
【図１】本実施形態に係るベルマウスの取付構造が適用されたファンシュラウド構造を示す模式的な背面図である。
【図２】図１のＡ−Ａ線断面図である。
【図３】本実施形態に係るベルマウスの取付構造の要部を示す模式的な断面図である。
【図４】他の実施形態に係る吸盤形状部を示す模式図である。
【発明を実施するための形態】
【００１１】
以下、添付図面に基づいて、本実施形態に係るベルマウスの取付構造を説明する。同一の部品には同一の符号を付してあり、それらの名称及び機能も同じである。したがって、それらについての詳細な説明は繰返さない。
【００１２】
［全体構成］
図１は、本実施形態に係るベルマウスの取付構造２０が適用されファンシュラウド構造１０を示す模式的な背面図であり、図２は、図１のＡ−Ａ線断面図である。
【００１３】
ファンシュラウド構造１０は、ファンシュラウド１１と、ファンシュラウド１１とエンジンＥ（図２にのみ示す）との間に配置されたファン１２と、エンジンＥに固定されてファン１２を囲むファンリング１３と、これらファンシュラウド１１とファンリング１３との間を覆うベルマウス１４とを備えている。
【００１４】
ファンシュラウド１１は、略矩形筒状に形成されており、その一端側開口縁をエンジンＥと対向する図示しないラジエータの背面にボルト等で固定されている。また、ファンシュラウド１１の他端側には、ファン１２の外径よりも内径の大きい開口部１１Ａが形成されている。開口部１１Ａは、略円形状に形成されており、気体をファン１２に導くための通気空間１５（図２にのみ示す）を区画形成する。
【００１５】
ファン１２は、その回転軸心がファンリング１３の中心軸（軸心）と一致するように配置されて、ファンリング１３の内部に収容されている。ファン１２は、例えば、エンジンＥの動力によって回転駆動される。
【００１６】
ファンリング１３は、略円筒状に形成されており、エンジンＥ（図２参照）に図示しないボルト等で固定されている。また、ファンリング１３の外周面には、ファンシュラウド１１側に位置する第１環状フランジ部１３Ａ及び、エンジンＥ側に位置する第２環状フランジ部１３Ｂがそれぞれ形成されている（何れも図２にのみ示す）。
【００１７】
ベルマウス１４は、例えば、ゴム材料や樹脂材料等の弾性部材で略円筒状に形成されており、ファンシュラウド１１とファンリング１３との隙間を覆う。このため、ベルマウス１４は、一端側（ラジエータ側）の開口周縁部１４Ａを略全周に亘ってファンシュラウド１１の環状凹部１１Ｂに嵌合固定されると共に、他端側（エンジン側）の開口端に設けたられた吸盤形状部２１をファンリング１３の外周面に吸着固定されている。以下、ベルマウスの取付構造２０の詳細を図３に基づいて説明する。
【００１８】
［ベルマウスの取り付け構造］
図３は、本実施形態に係るベルマウスの取付構造２０を示す模式的な断面図である。
【００１９】
図３に示すように、ベルマウスの取付構造２０は、ベルマウス１４のエンジン側の開口端に設けられた吸盤形状部２１を備えている。
【００２０】
吸盤形状部２１は、ベルマウス１４の開口端に、弾性部材により断面略Ｙ字形状且つ、正面視で略円形状に形成されている。吸盤形状部２１は、ベルマウス１４と一体に形成されてもよく、或は、別体に形成してベルマウス１４の開口端に嵌合固定されてもよい。
【００２１】
吸盤形状部２１をファンリング１３の外周面に押圧して、吸盤形状部２１とファンリング１３の外周面との間の空気を抜き、吸盤形状部２１をファンリング１３の外周面に吸着させると、ベルマウス１４の開口端をファンリング１３の外周面に固定することができるようになっている。
【００２２】
吸盤形状部２１の直径Ｌ１は、吸盤形状部２１がファンリング１３の外周面に吸着した状態で、第１環状フランジ部１３Ａと第２環状フランジ部１３Ｂとの間の長さＬ２よりも短く形成されている（図３（Ｂ）参照）。
【００２３】
吸盤形状部２１は、少なくとも一対が上下の対角上に配置されるか、或は、二対が上下左右の対角上に配置されている。なお、吸盤形状部２１の個数や配置関係はこれらに限定されず、ファンリング１３やベルマウス１４の大きさ等に応じて適宜に設定することができる。
【００２４】
以上詳述した本実施形態によれば、ベルマウス１４のエンジン側の開口端に吸盤形状部２１を設けると共に、吸盤形状部２１をファンリング１３の外周面に吸着することにより、ベルマウス１４の開口端がファンリング１３に固定されるように構成されている。これにより、エンジンＥの上下、左右、前後、ロール方向等への振動に起因して、ファンシュラウド１１とファンリング１３との間に相対移動が生じても、ベルマウス１４を吸盤形状部２１の吸着力によって、ファンリング１３に強固に保持させることが可能となり、ベルマウス１４の脱落を効果的に防止することができる。
【００２５】
また、ベルマウス１４をファンリング１３に組み付ける際に、作業者は吸盤形状部２１をファンリング１３の外周面に押圧するだけで、ベルマウス１４をファンリング１３に容易に取り付けることが可能となり、組み付け作業性を効果的に向上することもできる。
【００２６】
［その他］
なお、本開示は、上述の実施形態に限定されるものではなく、本開示の趣旨を逸脱しない範囲で、適宜変形して実施することが可能である。
【００２７】
例えば、吸盤形状部２１の形状は、正面視で略円形状に限定されず、正面視で略楕円形状等であってもよい。また、図４に示すように、正面視で角を丸めた略矩形状であってもよい。このように、吸盤形状部２１の吸着面の面積を広げることで、吸盤形状部２１の吸着力をさらに高めることができる。
【符号の説明】
【００２８】
１０  ファンシュラウド構造
１１  ファンシュラウド
１２  ファン
１３  ファンリング
１４  ベルマウス
２０  ベルマウスの取付構造
２１  吸盤形状部
【図１】
2020045842.tif 000003
【図２】
2020045842.tif 000004
【図３】
2020045842.tif 000005
【図４】
2020045842.tif 000006